(57)【要約】【課題】本発明は化粧面に馬目地タイル調凸ブロックを持つ横長尺外装材において、縦目地および表面様式を変化させた外装材に関するものである。【解決手段】単色金属板の表面材と、芯材と、裏面材とからなる横長尺状の化粧面を持つ外装材において、該化粧面の上下方向幅を等分割する通しの横目地によって形成される複数の段と、各段を横断する複数の縦目地によって区画される複数のタイル調凸ブロックを有し、各タイル調凸ブロックには、上記目地底面から該タイル調凸ブロック上面までの高さと同じか、あるいは低い各種エンボスおよび又は、各種塗装や印刷が施され、相隣るタイル調凸ブロックの横幅長さは、数種類が順次繰り返され、また各段の縦目地が他段の縦目地軸線上で重ならないようにずれ、各タイル調凸ブロックの横幅内に突当たる他段の縦目地が１本のみ配設されていることを特徴とする金属化粧外装材。【選択図】図１
2007231580.tif 000002
【特許請求の範囲】
【請求項１】
単色金属板の表面材と、芯材と、裏面材とからなる横長尺状の化粧面を持つ外装材において、該化粧面の上下方向幅を等分割する通しの横目地によって形成される複数の段と、各段を横断する複数の縦目地によって区画される複数のタイル調凸ブロックを有し、各タイル調凸ブロックには、上記目地底面から該タイル調凸ブロック上面までの高さと同じか、あるいは低い各種エンボスおよび又は、各種塗装や印刷が施され、相隣るタイル調凸ブロックの横幅長さは、数種類が順次繰り返され、また各段の縦目地が他段の縦目地軸線上で重ならないようにずれ、各タイル調凸ブロックの横幅内に突当たる他段の縦目地が１本のみ配設されていることを特徴とする金属化粧外装材。
【請求項２】
金属板の単色と異なる色調で塗装する限定塗装ロールを、上記タイル調凸ブロックの指定区画に同調させて塗布してなることを特徴とする請求項１に記載の金属化粧外装材。
【請求項３】
上記タイル調凸ブロックと限定塗装ロールとの同調が、予め金属化粧外装材の両端、あるいは一方に設けた穴、マーキング、突起等の目印、又は化粧面柄の読み取り装置による発信を検知して行われることを特徴とした請求項１、２に記載の金属化粧外装材およびその塗装方法。
【発明の詳細な説明】
【技術分野】
【０００１】
本発明は、壁として使用される金属化粧外装材およびその塗装方法に関するものである。さらに詳しくは、既存のロール塗装により、金属基板の表面模様を生かしつつ、自然感のある化粧表面を容易に形成できる金属化粧外装材およびその塗装方法に関するものである。
【背景技術】
【０００２】
従来から、複数条の横目地を所定の間隔で区分けした各段に、複数本の縦目地により複数の凸ブロックを形成した建材において、上記凸ブロック上面に多様な表面模様や塗装を施した塗装化粧板が提供されている（例えば特許文献１および特許文献２参照）。
【０００３】
【特許文献１】実開昭５６−１１２３２１号のマイクロフィルム。
【特許文献２】特開２００２−３８６９１号公報。
【発明の開示】
【発明が解決しようとする課題】
【０００４】
しかしながら、上記の外装材にあっては、横幅と縦幅とが定型化された規則性が目に付き、単調な印象を与える欠点があった。
【課題を解決するための手段】
【０００５】
本発明は上記従来の課題を解決するために、横長尺板の上下働き幅を複数段（図では３段）に等分割する通しの横目地と、各段を横断する複数の縦目地とによって形成される複数のタイル調凸ブロックにおいて、相隣るタイル調凸ブロックが、数種類の横幅長さのものを順次繰り返すと共に、段毎の縦目地が、他段の縦目地軸線上で重ならないように左右にずれ、さらに各タイル調凸ブロック横幅内に突当たる縦目地が、１本のみ配設されていることを特徴とする金属化粧外装材を提供するものである。
【０００６】
また、金属板の単色と異なる色調で塗装する限定塗装ロールを、上記タイル調凸ブロックの指定区画に同調させて塗布してなることを一態様とする金属化粧外装材を提供するものである。
【０００７】
さらにタイル調凸ブロックと限定塗装ロールとの同調が、予め金属化粧外装材の両端、あるいは一方に設けた穴、マーキング、突起等の目印を検知し、又は化粧面柄の読み取り装置による発信を検知して行われることを一態様とする金属化粧外装材およびその塗装方法を提供するものである。
【発明の効果】
【０００８】
本発明は、（１）馬目地基調を維持しながら横幅の変化と表面様式の変化を相乗することで、新規な柄を持つ金属化粧外装材を提供することができる。（２）金属板に対するインクジェット印刷やフレキソロール塗装（印刷）にも容易に対応できる。（３）金属化粧面のタイル調凸ブロックと限定塗装ロールとの同調が、各種の目印又は、柄読み取り装置からの発信を検知して行われるため、安定した塗装ができる。等の効果がある。
【発明を実施するための最良の形態】
【０００９】
本発明の金属化粧外装材Ａは、表面材Ｂが、ステンレス鋼板、普通鋼板、各種めっき鋼板、銅板、銅合金板、アルミニウム板、アルミニウム合金板等を基材Ｃとし、これら表面材Ｂの上に、樹脂系塗料Ｄを塗布し、焼付けて単色のベース塗膜を形成した単色塗装金属板を用いる。
【００１０】
さらに実施例を示す図１〜図４によって説明する。図１は本発明の金属化粧外装材Ａとその塗装方法を示す説明図、図２はその一部を拡大した説明図、図３は金属化粧外装材Ａの正面図、図４は表面の一部を拡大して示す拡大図である。
本発明の金属化粧外装材Ａは、図１〜３に示すように正面から見て、上下両端部に互いに嵌合可能な雄実部Ａ１、雌実部Ａ２を有し、雄、雌実部Ａ１、Ａ２間を化粧面１とした単色塗装金属板からなる表面材Ｂと、該表面材Ｂの裏面に充填する芯材Ｅと、芯材Ｅの露出面を覆う裏面材Ｆからなり、化粧面１の縦幅Ｗが３００〜１０００ｍｍ程度で左右方向に連続する長尺板であり、図では該金属化粧外装材表面Ａに目地幅ΔＷ＝５ｍｍで２条の通しの横目地２を等間隔で設けることで上段３１、中段３２、下段３３の三つの段３が形成されており、各段３を横断する複数本の縦目地４によって区画された複数のタイル調凸ブロック５を有している。
【００１１】
各タイル調凸ブロック５は、図４に示すように、上記目地底面６から該タイル調凸ブロック上面７までの高さｄと8同じ、あるいは低いΔｄの高さの各種エンボスおよび又は、図示しないが各種塗装や印刷が施され、相隣るタイル調凸ブロック５の横幅長さは、数種類（図２では、大Ｌ＋ｄＬ、中Ｌ、小Ｌ−ｄＬの３種類）が順次繰り返され、また各段３の縦目地４が他段の縦目地４の軸線上で重ならず、各タイル調凸ブロック５の横幅内に他段３の縦目地４が１本のみ配設されている。
【００１２】
図１〜３のタイル調凸ブロック柄３の寸法は、例えば横幅は基準幅Ｌ＝１３０ｍｍ（中幅）、Ｌ＋ｄＬ＝１５５ｍｍ（大幅）、Ｌ−ｄＬ＝１０５ｍｍ（小幅）の３種類、ｄＬ＝２５ｍｍ、横目地幅ΔＬ＝５ｍｍ、各段１の縦幅Ｗ／３＝１２３ｍｍに設定され、通常縦目地、横地幅はΔＷ＝ΔＬの関係となる。
【００１３】
また塗装方法は、各段にタイル調凸ブロック５が加工され、かつ塗装された表面材Ｂに、芯材Ｅ、裏面材Ｆが積層一体化された金属化粧外装材Ａに対し、矢印イ方向に回転する限定塗装ロール9（凸部に彫刻し、塗り部と逃げ部を持つフレキソロール）を用い、両端、あるいは一端に設けたマーキング、突起等の目印8、又は図示しない化粧面柄の読み取り装置による発信を検知して、塗料を塗布し、矢印ロ方向に移送し、焼付け乾燥して金属化粧外装材Ａを得た。
【００１４】
上記した塗装方法は、半製品を一旦製造ラインから取り出し、別工程によって指定凸ブロック５の限定塗装を行った一例を示したものであるが、製造ライン中で上記限定塗装を行うことや、あるいは限定塗装ロール9を複数本用いて多色塗装とすることも可能である。
【００１５】
図５は、タイル調凸ブロック５、および低いエンボスを省略した金属化粧外装材Ａのその他の実施例であり、（ａ）は大型建物用の金属化粧外装材Ａ、（ｂ）は上下両端が化粧面１よりも突出した差込型の雄、雌実部Ａ１、Ａ２を持つ金属化粧外装材Ａを示している。
【図面の簡単な説明】
【００１６】
【図１】本願発明に係る実施例を示す説明図である。
【図２】本願発明に係る実施例の一部を拡大して示す説明図である。
【図３】本願発明およびその他の実施例を示す正面図である。
【図４】本願発明の一部を拡大して示す断面図である。
【図５】本願発明のその他の実施例を示す断面図である。
【符号の説明】
【００１７】
Ａ  金属化粧外装材
Ａ１  雄実部
Ａ２  雌実部
Ｂ  表面材
Ｃ  基材
Ｄ  樹脂系塗料
Ｅ  芯材
Ｆ  裏面材
１  化粧面
２  段
３  横目地
４  縦目地
５  タイル調凸ブロック
６  目地底面
７  タイル調凸ブロック上面
８  マークキング
９  限定塗装ロール
【図１】
2007231580.tif 000003
【図２】
2007231580.tif 000004
【図３】
2007231580.tif 000005
【図４】
2007231580.tif 000006
【図５】
2007231580.tif 000007